(57)【特許請求の範囲】
【請求項１】
高周波インバータ回路及びそれに接続される一次コイルから成る非接触給電手段を備えた保持体部と、保持体部に着脱自在に保持されるものであり、保持状態にて一次コイルと磁気結合する二次コイル及びそれに接続される充電手段から成る非接触受電手段を備えた本体部とを具備した非接触給電機器において、本体部に、保持状態にて機能する充電以外の付加機能手段と、一次コイルから付加機能手段へのエネルギ供給を行なう第二の非接触受電手段とを備えるとともに、非接触受電手段の二次コイルと第二の非接触受電手段とを、保持状態において同一方向を向くように並設させ、本体部のスライドによって複数の保持状態を選択可能にすることで、非接触受電手段の二次コイルと第二の非接触受電手段とを、上記保持状態の選択に応じてどちらか一方が非接触給電手段の一次コイルと対向するように備えたことを特徴とする非接触給電機器。
【請求項２】
本体部が電気シェーバであることを特徴とする請求項１に記載の非接触給電機器。
【請求項３】
本体部が電動歯ブラシであることを特徴とする請求項１に記載の非接触給電機器。
【発明の詳細な説明】
【０００１】
【発明の属する技術分野】
本発明は、非接触で給電可能な機器である非接触給電機器に関する。
【０００２】
【従来の技術】
近年、電気シェーバや電動歯ブラシ等の水周りで使用する携帯用電子機器として、本体及びそれを保持する専用の保持体に、保持状態にあるときに保持体から本体への給電を非接触で行なう非接触給電機能を備えて構成される非接触給電機器が幾つも提供されている。このような非接触給電機器は、保持体側に非接触給電装置１を備え、本体側に非接触受電装置２を備えることで非接触給電機能を実現するものである。
【０００３】
図１５に示すように、上記非接触給電装置１及び非接触受電装置２の構成としては、一次コイル３を非接触給電装置１側に、二次コイル４を非接触受電装置２側に、対向するように備えて分離着脱式トランス５を構成することが一般的であり、非接触給電装置１内において商用電源である電源６からの電圧を一次整流平滑回路７で一旦直流とした後に高周波インバータ回路８により高周波交流電圧に変換して加えることで上記一次コイル３に２０ｋＨｚ以上の高周波の交番磁束９を発生させ、非接触受電装置２内の二次コイル４にて該交番磁束９により誘起された交流電圧を二次整流平滑回路１０で直流に変換した後に充電手段である二次電池１１に給電するものである。また、このように二次電池１１を用いて蓄電を行なうのでなく本体への供給電力を直接利用する場合もある。
【０００４】
ここでいう高周波インバータ回路８とは、半導体スイッチング素子を用いた直流―交流変換回路であり、高周波数とすることで電源６の小型化を可能とする高効率な回路技術である。
【０００５】
【発明が解決しようとする課題】
従来の非接触給電機器は、上記したように小型高効率なインバータ回路や無接点エネルギ供給機構を備えているにも関わらず、この機能を蓄電や給電といった単独の目的にしか使用していない場合が殆どであった。
【０００６】
本発明は上記の点に鑑みてなされたものであり、充電中や収納中にあってもこれらインバータ回路や無接点エネルギ供給機構を活用して積極的に付加機能を働かせることのできる非接触給電機器を提供することを課題とするものである。
【０００７】
【課題を解決するための手段】
上記課題を解決するために本発明を、高周波インバータ回路及びそれに接続される一次コイルから成る非接触給電手段を備えた保持体部と、保持体部に着脱自在に保持されるものであり、保持状態にて一次コイルと磁気結合する二次コイル及びそれに接続される充電手段から成る非接触受電手段を備えた本体部とを具備した非接触給電機器において、本体部に、保持状態にて機能する充電以外の付加機能手段と、一次コイルから付加機能手段へのエネルギ供給を行なう第二の非接触受電手段とを備えるとともに、非接触受電手段の二次コイルと第二の非接触受電手段とを、保持状態において同一方向を向くように並設させ、本体部のスライドによって２つ保持状態を選択可能にすることで、非接触受電手段の二次コイルと第二の非接触受電手段とを、上記保持状態の選択に応じてどちらか一方が非接触給電手段の一次コイルと対向するように備えたものとする。このようにすることで、保持状態において、非接触で本体部の充電を行なうとともに非接触で本体部に備えた付加機能手段へのエネルギ供給を行なうことができる。加えて、本体部をスライドさせて保持状態を変更するだけで、充電手段へのエネルギ供給と付加機能手段へのエネルギ供給を容易に切り替えることができ、保持体部の小型化及び経済性向上を図ることができる。
【０００８】
また、本体部を電気シェーバとすることも好ましい。このようにすることで、保持状態において非接触で充電及び付加機能手段への給電を行なう電気シェーバを提供することができる。
【０００９】
また、本体部が電動歯ブラシであることも好ましい。このようにすることで、保持状態において非接触で充電及び付加機能手段への給電を行う電動歯ブラシを提供することができる。
【００１０】
【発明の実施の形態】
以下、本発明を添付図面に示す実施の形態に基づいて説明する。図１、図２は、本発明の実施の形態における第一の例の該略構成図であり、非接触給電機器として、非接触による充電機能及び付加機能を備えた電気シェーバを示している。
【００１１】
非接触給電機器の本体部である電気シェーバ本体１２には、外刃１３ａと内刃１３ｂから成る金属製のシェーバ刃部１３を先端側に備えるとともに、内刃１３ｂを往復駆動させる内刃駆動部１４及びそれに対する電力供給を行なうシェーバ駆動回路１５を内蔵している。更に、電気シェーバ本体１２内には、充電手段である二次電池１１をシェーバ駆動回路１５と接続させて備えるとともに、二次整流平滑回路１０を介して二次電池１１と接続された二次コイル４を上記シェーバ刃部１３と反対側に備えており、これら二次電池１１、二次整流平滑回路１０、二次コイル４の接続により電気シェーバ本体１２内に非接触受電装置２を形成している。
【００１２】
非接触給電機器の保持体部である電気シェーバ保持体１７は、上記した電気シェーバ本体１２を、シェーバ刃部１３を備えた先端側を横に向けた状態で着脱自在に保持するものであり、一次整流平滑回路７を介して商用電源である電源６と接続される高周波インバータ回路８を内蔵している。更に、電気シェーバ保持体１７内上側には、一つの高周波インバータ回路８から分岐して接続された一次コイル３と第二の一次コイル１８を夫々配置させており、これら一次整流平滑回路７、高周波インバータ回路８、一次コイル３、第二の一次コイル１８の接続により電気シェーバ保持体１７内に非接触給電装置１を形成している。
【００１３】
ここで、上記した電気シェーバ保持体１７の一次コイル３と電気シェーバ本体１２の二次コイル４とは、電気シェーバ保持体１７に電気シェーバ本体１２を保持した保持状態において対向するように夫々設けている。また、電気シェーバ保持体１７の第二の一次コイル１８は、保持状態において電気シェーバ本体１２のシェーバ刃部１３と対向するように設けている。
【００１４】
上記構成により、一次コイル３と二次コイル４は分離着脱式トランス５を形成しており、保持状態において電気シェーバ保持体１７に電源６からの通電を行なえば、一次コイル３に発生する高周波の交番磁束９により一次コイル３と二次コイル４が磁気結合し、このとき二次コイル４に起電力が生じて二次電池１１への給電即ち充電が行なわれる。上記充電機能が保持状態にて非接触に行なわれる主機能である。
【００１５】
この主機能に対し、保持状態にて非接触状態で機能する充電以外の付加機能として、第二の一次コイル１８に生じる交番磁束９により該第二の一次コイル１８と対向するシェーバ刃部１３に磁気エネルギを直接供給し、誘導加熱させる機能を備えている。つまり、本例においては、電気シェーバ本体１２にコイル等を備える必要なく直接シェーバ刃部１３に付加機能を果たす為のエネルギを供給することができ、シェーバ刃部１３は付加機能手段と第二の非接触受電装置１９の両役割を担う構成となっている。
【００１６】
上記したように本例においては、一つの保持状態において主機能である充電機能と同時に付加機能である誘導加熱機能が働くようになっている。電気シェーバ本体１２は、シェーバ刃部１３及びその近傍の電気シェーバ本体１２内を水洗い可能に形成したものであり、上記誘導加熱機能によって雑菌の殺菌や水洗い後の乾燥を行ない、清潔に保持することができる。また、これによりかびの発生を防止することにもなる。
【００１７】
次に、図３に基づいて本発明の実施の形態における第二の例の説明を行なうが、第二の例の構成は上記した第一の例と略同様の構成を備えているので、共通の構成については説明を省略し、本例特有の構成について説明を行なう。また、以下に示す第二〜第十三の例においては一次整流平滑回路７についての記載を省略する。
【００１８】
電気シェーバ本体１２内には、内刃１３ｂ近傍に電極２１を備えており、この電極２１には高電圧発生回路２２が接続されている。また、高電圧発生回路２２には、受電回路２３を介して第二の二次コイル２０が接続されており、この受電回路２３と第二の二次コイル２０の接続により第二の非接触受電装置１９を形成している。上記第二の二次コイル２０は、電気シェーバ保持体１７内に備えた第二の一次コイル１８と保持状態において対向する位置に設けており、第二の二次コイル２０と第二の一次コイル１８とで第二の分離着脱式トランス２４を形成している。
【００１９】
上記構成により、保持状態において電気シェーバ保持体１７に電源６からの通電を行なえば、分離着脱式トランス５を成す一次コイル３と二次コイル４の磁気結合により二次コイル４に起電力が生じて二次電池１１での充電が行なわれるとともに、第二の分離着脱式トランス２４を成す第二の一次コイル１８と第二の二次コイル２０においても同様に磁気結合を生じ、第二の二次コイル２０にて磁気エネルギから変換されて生じた電気エネルギが高電圧発生回路２２によって直流の高電圧に変換され、電極２１に出力される。電極２１には高電圧による帯電が生じるので、シェーバ刃部１３や電気シェーバ本体１２内に附着した絶縁物である髭屑や汚れ物質等が静電誘導による誘電分極を起こして、電極２１に吸引捕捉される。また、このとき内刃１３ｂを往復動させておけば、シェーバ刃部１３に附着した髭屑や汚れ物質等が落ち易くなり、更に附着物除去の効果を上げることができる。
【００２０】
上記したように本例においては、一つの保持状態において主機能である充電機能と同時に付加機能である附着物除去機能が働くようになっている。
【００２１】
次に、図４に基づいて本発明の実施の形態における第三の例の説明を行なう。第三の例は上記した第二の例と略同様の構成を備えており、電気シェーバ本体１２内の内刃１３ｂ近傍に、高電圧発生回路２２と接続された一対の放電用電極２５，２５を備えている点が第二の例と異なる特徴的な構成となっている。
【００２２】
従って、一つの保持状態において電源６からの通電を行なえば、主機能である二次電池１１への充電が分離着脱式トランス５を介して無接点で行なわれるとともに、第二の分離着脱式トランス２４を介して無接点で電気エネルギが高電圧発生回路２２に供給され、これが該高電圧発生回路２２にて変換されて生じる交流或いは直流の高電圧が放電用電極２５，２５に出力される。これにより、対向する一対の放電用電極２５，２５間で放電が生じる。
【００２３】
上記放電によって放電用電極２５，２５間の気体はプラズマ状態となり、電離した電子の衝突を受けた分子が励起、解離を経て反応性の高いラジカル原子やラジカル分子となる。放電用電極２５，２５近傍の臭気物質や汚れ物質が、これら反応性の高い分子や原子と反応して還元され、分解、除去されることで、消臭、脱臭、殺菌、抗菌等の機能を果たす。また、放電により副産物として発生するオゾンも反応性に富む。更に、電気シェーバ本体１２内部には二酸化チタン等の触媒２７を塗布等の方法で設けているので、放電により生じたイオンやラジカル原子等がこれに衝突して二次的に酸素ラジカルや水素ラジカルを発生させ、これが消臭、脱臭、殺菌、抗菌の機能を果たして効果を向上させる。
【００２４】
また、上記機能に加えて、本例においては放電により生じるイオンの流れがイオン風として電気シェーバ本体１２内部を乾燥させる機能を果たすので、消臭、脱臭、殺菌、抗菌、乾燥機能が本例の付加機能となる。
【００２５】
次に、図５に基づいて本発明の実施の形態における第四の例の説明を行なう。第四の例の構成は上記した第三の例と略同様の構成を備えており、電気シェーバ本体１２内の内刃１３ｂ近傍に、高電圧発生回路２２と接続された放電用電極２５を一つだけ備え、内刃１３ｂ等の金属部をもう一方の電極として兼用している点が第三の例と異なる特徴的な構成となっている。上記構成により部品点数が削減される。
【００２６】
次に、図６に基づいて本発明の実施の形態における第五の例の説明を行なうが、第五の例の構成は上記した第二の例と略同様の構成を備えているので、共通の構成については説明を省略し、本例特有の構成について以下に説明する。
【００２７】
電気シェーバ本体１２内の内刃１３ｂ近傍には、高電圧発生回路２２と接続された紫外線発生ランプ２６を備えている。従って、一つの保持状態において電気シェーバ保持体１７に電源６からの通電を行なえば、主機能である二次電池１１への充電が分離着脱式トランス５を介して無接点で行なわれるとともに、第二の分離着脱式トランス２４を介して無接点で電気エネルギが高電圧発生回路２２に供給され、これが該高電圧発生回路２２にて変換されて生じる高周波交流の高電圧が、紫外線発生ランプ２６に出力される。紫外線発生ランプ２６において電気エネルギは光エネルギに変換されて近紫外線や紫外線が発生する。この紫外線の照射が殺菌の機能を果たす。
【００２８】
更に、電気シェーバ本体１２内の紫外線発生ランプ２６周辺には二酸化チタン等の触媒２７を塗布等の方法で設けており、近紫外線が照射されることで上記触媒２７が反応し、ヒドロキシラジカル等の活性ラジカルが発生する。臭気物質や汚れ物質はこの反応性の高い活性ラジカルと反応して分解、除去され、これによりの消臭、脱臭、殺菌、抗菌機能を果たす。加えて油成分等も分解され、これにより防汚機能も果たすので、上記した消臭、脱臭、殺菌、抗菌、防汚機能が本例の付加機能となる。
【００２９】
紫外線発生ランプ２６の光源としては、放電ランプの他に高輝度のＬＥＤを用いることも好ましく、これにより小型で長寿命のランプとなる。また、複数の光源を独立に光照射自在として設けておけば、多様な光を状況に応じて照射することができる。
【００３０】
次に、図７に基づいて本発明の実施の形態における第六の例の説明を行なう。第六の例の構成は上記した第二の例と略同様の構成を備えており、電気シェーバ本体１２内において、駆動回路２８を第二の非接触受電装置１９の受電回路２３と接続させて備えるとともに、駆動回路２８に駆動されて超音波を発生させる超音波振動子ブロック２９を内刃１３ｂと接触させて備えている点が第二の例と異なる特徴的な構成となっている。
【００３１】
従って、一つの保持状態において電気シェーバ保持体１７に電源６からの通電を行なえば、主機能である二次電池１１への充電が分離着脱式トランス５を介して無接点で行なわれるとともに、第二の分離着脱式トランス２４を介して無接点で電気エネルギが駆動回路２８に供給される。駆動回路２８において電気エネルギは高周波交流の電圧に変換され、これを動力とした超音波振動子ブロック２９の駆動により超音波が発生し、伝搬された超音波によって内刃１３ｂの附着物を分離、除去する機能を果たす。また、水洗いした後の水滴を介して超音波を伝搬させれば、キャビテーション作用により、落ち難い微小な汚れ物質の分離や附着細菌の殺菌といった機能を果たす。上記した附着物除去、殺菌機能が本例の付加機能である。
【００３２】
次に、図８に基づいて本発明の実施の形態における第七の例の説明を行なうが、第七の例の構成は上記した第五の例と略同様の構成を備えているので、共通の構成については説明を省略し、本例特有の構成について以下に説明を行なう。
【００３３】
電気シェーバ保持体１７内には、一つの高周波インバータ回路８と接続させて一つの一次コイル３を設けている。電気シェーバ本体１２内の二次コイル４と第二の二次コイル２０は、保持状態にて夫々下方を向くように並設させており、図８（ａ）に示す第一の保持状態では一次コイル３と二次コイル４が対向して分離着脱式トランス５を形成し、図８（ｂ）に示す第二の保持状態では一次コイル３と第二の二次コイル２０が対向して第二の分離着脱式トランス２４を形成するようになっている。但し、ここでの第一の保持状態と第二の保持状態とは、電気シェーバ本体１２を第一の保持状態よりも後端側にスライドさせた保持状態が第二の保持状態となる関係にある。上記構成により、電気シェーバ本体１２を第一又は第二の保持状態に選択的に保持しておくことで、電気シェーバ保持体１７への通電により主機能側への給電と付加機能側への給電のどちらを行なうかを自在に切り替えることができる。
【００３４】
上記したように本例は、第五の例において更に、非接触給電装置１を構成するコイルとして一次コイル３を一つだけ備えて、電気シェーバ本体１２の保持状態変更により主機能と付加機能とを選択的に働かせるようにしたものであるが、同様の構成を既述した第一〜第四、第六の例に適用しても良い。
【００３５】
次に、図９に基づいて本発明の実施の形態における第八の例の説明を行なうが、第八の例の構成は上記した第五の例と略同様の構成を備えているので、共通の構成については説明を省略し、本例特有の構成について以下に説明を行なう。
【００３６】
電気シェーバ保持体１７内には、高周波インバータ回路８及びそれと接続される一次コイル３から成る非接触給電装置１と、第二の高周波インバータ回路３０及びそれと接続される第二の一次コイル１８から成る第二の非接触給電装置１６とを備えている。更に、一つの保持状態において電気シェーバ本体１２の二次コイル４と対向する位置に一次コイル３を備えて分離着脱式トランス５を形成し、電気シェーバ本体１２の第二の二次コイル２０と対向する位置に第二の一次コイル１８を備えて第二の分離着脱式トランス２４を形成しているので、電気シェーバ保持体１７に電源６からの通電を行なえば、主機能側へのエネルギ供給と付加機能側へのエネルギ供給を一つの保持状態において共に無接点で行なうことができ、且つ、主機能側及び付加機能側へのエネルギ供給を夫々独立に設定することができる。
【００３７】
上記したように本例は、第五の例において更に、一次コイル３に接続される高周波インバータ回路８と、第二の一次コイル１８に接続される第二の高周波インバータ回路３０とを、夫々独立に備えることで、主機能側及び付加機能側に対して共に最適の条件でエネルギを供給できるようにしたものであるが、同様の構成を既述した第一〜第四、第六の例に適用しても良く、特に第一の例のように金属部の誘導加熱を行なう場合には、その加熱効率が良くなるように周波数を独立に設定することができる。
【００３８】
次に、図１０（ａ）、（ｂ）に基づいて本発明の実施の形態における第九の例の説明を行なうが、第九の例の構成は上記した第五の例と略同様の構成を備えているので、共通の構成については説明を省略し、本例特有の構成について以下に説明を行なう。但し、図中にて受電回路２３と高電圧発生回路２２の記載は省略している。
【００３９】
電気シェーバ本体１２内には、本体側棒状磁性体３２ａの一端、中央、他端から夫々同一方向に本体側第一、第二、第三突部３２ｂ，３２ｃ，３２ｄを延設して成る略Ｅ形状の本体側磁性体３２を備えるとともに、一端側に位置する本体側第一突部３２ｂには第二の非接触受電装置１９を構成する第二の二次コイル２０を巻装し、他端側に位置する本体側第三突部３２ｄには非接触受電装置２を構成する二次コイル４を巻装している。また、電気シェーバ保持体１７内には、保持体側棒状磁性体３１ａの一端、中央、他端から夫々同一方向に保持体側第一、第二、第三突部３１ｂ，３１ｃ，３１ｄを延設して成る略Ｅ形状の保持体側磁性体３１を備えるとともに、中央側に位置する保持体側第二突部３１ｃには非接触給電装置１を構成する一次コイル３を巻装している。
【００４０】
図１０（ａ）に示したような保持状態において、本体側第一突部３２ｂと保持体側第一突部３１ｂ、本体側第二突部３２ｃと保持体側第二突部３１ｃ、本体側第三突部３２ｄと保持体側第三突部３１ｄが夫々対向するように、本体側磁性体３２及び保持体側磁性体３１を設けている。従って、この一つの保持状態において電気シェーバ保持体１７に電源６からの通電を行なえば、一次コイル３に発生する高周波の交番磁束９により、本体側第二突部３２ｃと保持体側第二突部３１ｃ、及び、本体側第三突部３２ｄと保持体側第三突部３１ｄを通る第一の磁路３３が形成されるとともに、本体側第二突部３２ｃと保持体側第二突部３１ｃ、及び、本体側第一突部３２ｂと保持体側第一突部３１ｂを通る第二の磁路３４が形成される。これにより二次コイル４と第二の二次コイル２０は夫々一次コイル３と磁気結合し、主機能側及び付加機能側へと共にエネルギが供給される。
【００４１】
上記したように本例は、第五の例において更に、電気シェーバ保持体１７には高周波インバータ回路８と一次コイル３を一つずつ設けるとともに、一つの保持状態において一次コイル３に対して別々の磁路が形成されるようにすることで、簡単な構成で、一つの保持状態において主機能側及び付加機能側に共にエネルギが供給されるようにしたものであるが、同様の構成を既述した第一〜第四、第六の例に適用しても良い。
【００４２】
次に、図１１に基づいて本発明の実施の形態における第十の例の説明を行なうが、第十の例の構成は上記した第五の例と略同様の構成を備えているので、共通の構成については説明を省略し、本例特有の構成について以下に説明を行なう。但し、図中にて受電回路２３と高電圧発生回路２２の記載は省略している。
【００４３】
電気シェーバ保持体１７内上部には、一つの高周波インバータ回路８と接続させて、高周波の交番磁束９を広く分布させる大型の一次コイル３を一つ設けている。電気シェーバ本体１２内の二次コイル４と第二の二次コイル２０は、保持状態にて一次コイル３の交番磁束９と夫々錯交可能な範囲で下方を向くように並設させており、これにより、一つの保持状態において二次コイル４と一次コイル３が対向して磁気結合すると同時に第二の二次コイル２０と一次コイル３が対向して磁気結合し、主機能側への給電と付加機能側への給電とが同時に行なわれる。
【００４４】
上記したように本例は、第五の例において更に、広範な交番磁束９を発生する一次コイル３を一つ備えた簡単な構成で、一つの保持状態において主機能側及び付加機能側にエネルギが供給されるようにしたものであるが、同様の構成を既述した第一〜第四、第六の例に適用しても良い。
【００４５】
次に、図１２に基づいて本発明の実施の形態における第十一の例の説明を行なうが、第十一の例の構成は上記した第五の例と略同様の構成を備えているので、共通の構成については説明を省略し、本例特有の構成について以下に説明を行なう。但し、図中にて受電回路２３と高電圧発生回路２２の記載は省略している。
【００４６】
電気シェーバ保持体１７内には、高周波インバータ回路８と接続した一次コイル３を略コ次状の保持体側磁性体３１の両端に巻装させて備えている。また、電気シェーバ本体１２内には、略コ字状の両端部を直角方向に屈折させた形状である本体側磁性体３２を備えており、該本体側磁性体３２の屈折した両端部には、非接触受電装置２を構成する二次コイル４を夫々巻装するとともに、本体側磁性体３２の略コ字状の中央部には、第二の非接触受電装置１９を構成する第二の二次コイル２０を巻装している。
【００４７】
本体側磁性体３２と保持体側磁性体３１は、保持状態において互いの両端部が夫々対向するように備えているので、保持状態にて電気シェーバ保持体１７に電源６からの通電を行なえば、一次コイル３に発生する高周波の交番磁束９により、本体側磁性体３２と保持体側磁性体３１において一つの磁路が形成される。この磁路により二次コイル４及び第二の二次コイル２０は夫々一次コイル３と磁気結合し、主機能側及び付加機能側にエネルギが供給される。
【００４８】
成形工法として、リード線を殆ど使用しない回路モジュールとして構造体と銅版や印刷パターンを含めて成形する一体成形工法を用いる場合があるが、その場合は上記したような磁性体をこの中に組み込んで一体成形することも好ましい。
【００４９】
上記したように本例は、第五の例において更に、一つの一次コイル３に対して一つの磁路を形成する簡単な構成で、一つの保持状態において広く形成される磁路中の任意の位置から複数の受電を可能として、主機能側及び付加機能側にエネルギが供給されるようにしたものであるが、同様の構成を既述した第一〜第四、第六の例に適用しても良い。
【００５０】
次に、図１３に基づいて本発明の実施の形態における第十二の例の説明を行なう。第十二の例の構成は上記した第十一の例と略同様の構成であるが、本体側磁性体３２として略コ字状の比較的小型のものを備えるとともに、該本体側磁性体３２に巻装する二次コイル４と第二の二次コイル２０とを近接或いは重ねて配置していることを、第十一の例と異なる特徴的な構成としている。これにより、電気シェーバ本体１２内の省スペース化が図れるものであり、本例と同様の構成を既述した第一〜第四、第六の例に適用しても良い。
【００５１】
次に、図１４に基づいて本発明の実施の形態における第十三の例の説明を行なう。図には、非接触給電機器として、非接触による充電機能及び付加機能を備えた電気歯ブラシを示している。
【００５２】
非接触給電機器の本体部である電動歯ブラシ本体３６には、先端にブラシ３７を備えるとともに、内部には該ブラシ３７を往復動させるブラシ駆動制御部３８を備えている。加えて、電動歯ブラシ本体３６の内部には、ブラシ駆動制御部３８と接続させた二次電池１１を充電手段として備えるとともに、二次整流平滑回路１０を介して二次電池１１と接続させた二次コイル４を上記ブラシ３７と反対側に備えており、これら二次電池１１、二次整流平滑回路１０、二次コイル４の接続により電気シェーバ本体１２内に非接触受電装置２を形成している。
【００５３】
非接触給電機器の保持体部である電動歯ブラシ保持体３９は、上記した電動歯ブラシ本体３６を、ブラシ３７を備えた先端側が横を向く状態で着脱自在に保持するものである。電動歯ブラシ保持体３９には、商用電源である電源６と接続される高周波インバータ回路８を内蔵しており、該高周波インバータ回路８からは一次コイル３と高周波トランス４０とを夫々分岐して接続させている。この高周波インバータ回路８と一次コイル３の接続により非接触給電装置１を形成している。更に、上記高周波トランス４０は、制御回路４１を介して、電動歯ブラシ本体３６の上面にて上方を照らす位置に配されたランプ部４２と接続されている。つまり、高周波インバータ回路８は、二次電池１１への給電とランプ部４２への給電とに共用されるものである。
【００５４】
ここで、電動歯ブラシ保持体３９の一次コイル３と電動歯ブラシ本体３６の二次コイル４は、保持状態において対向するように夫々設けており、電動歯ブラシ保持体３９のランプ部４２は、保持状態において電動歯ブラシ本体３６のブラシ３７と対向するように設けている。
【００５５】
上記構成により、保持状態において電動歯ブラシ保持体３９に電源６からの通電を行なえば、一次コイル３に発生する高周波の交番磁束９により一次コイル３と二次コイル４が磁気結合し、このとき二次コイル４に生じる起電力によって二次電池１１への充電が行なわれる。上記充電機能が保持状態にて非接触に行なわれる主機能である。この主機能に対し、保持状態にて非接触に行なわれる充電以外の付加機能として、ランプ部４２から紫外線や遠赤外線等の光を水洗い後のブラシ３７に向けて照射して殺菌や乾燥を行なう殺菌、乾燥機能を備えている。
【００５６】
ランプ部４２の光源としては、高輝度のＬＥＤ４３を用いており、これにより小型化及び長寿命化を実現させている。更に、複数のＬＥＤ４３を独立して光照射自在に設け、紫外線と赤外線の両方を照射可能なものとしておけば、例えば保持状態にて最初に紫外線で殺菌を行なった後に遠赤外線等の赤外線で乾燥を促進させてかびの発生を防止することができ、これによりブラシ３７を更に衛生的に保つことができる。
【００５７】
また、電動歯ブラシ保持体３９には、電動歯ブラシ本体３６を外部から遮断する保護カバー４４を開閉自在に備えており、これによりランプ部４２から照射される光が外部に漏れないようにしている。加えて、保護カバー４４が閉じた時のみランプ部４２からの光照射が行なわれるようにしておけば、外部への光の漏れは更に確実に防止される。
【００５８】
以上、第一〜第十二の例においては電気シェーバを例として、第十三の例においては電動歯ブラシを例として、夫々説明を行なってきたが、第一〜第十二の例と同様の構成を電動歯ブラシやその他の非接触給電機器に用いても良いし、第十三の例と同様の構成を電気シェーバやその他の非接触給電機器に用いても良い。例えば第六の例の構成を電動歯ブラシに用いた場合には、超音波振動子ブロック２９をブラシ３７に接触させて附着物を分離させる等の付加機能を実現することができる。
【００５９】
【発明の効果】
上記のように請求項１に記載の発明にあっては、保持状態において、非接触で本体部の充電を行なうとともに非接触で本体部に備えた付加機能手段へのエネルギ供給を行なうことができることに加えて、本体部をスライドさせて保持状態を変更するだけで、充電手段へのエネルギ供給と付加機能手段へのエネルギ供給とを容易に切り替えることができ、保持体部の小型化及び経済性向上を図ることができるという効果がある。
【００６０】
また、請求項２に記載の発明にあっては、請求項１に記載の発明の効果に加えて、保持状態において非接触で充電及び付加機能手段への給電を行なう電気シェーバを提供することができるという効果がある。
【００６１】
また、請求項３に記載の発明にあっては、請求項１に記載の発明の効果に加えて、保持状態のときに非接触で充電及び付加機手段へのエネルギ供給を行う電動歯ブラシを提供することができるという効果がある。
【図面の簡単な説明】
【図１】  本発明の実施の形態における第一の例である電気シェーバ本体及び電気シェーバ保持体の保持状態を示す概略説明図である。
【図２】  同上の電気シェーバ本体及び電気シェーバの保持体分離状態を示す概略説明図である。
【図３】  本発明の実施の形態における第二の例である電気シェーバ本体及び電気シェーバ保持体の保持状態を示す概略説明図である。
【図４】  本発明の実施の形態における第三例である電気シェーバ本体及び電気シェーバ保持体の保持状態を示す概略説明図である。
【図５】  本発明の実施の形態における第四の例である電気シェーバ本体及び電気シェーバ保持体の保持状態を示す概略説明図である。
【図６】  本発明の実施の形態における第五の例である電気シェーバ本体及び電気シェーバ保持体の保持状態を示す概略説明図である。
【図７】  本発明の実施の形態における第六の例である電気シェーバ本体及び電気シェーバ保持体の保持状態を示す概略説明図である。
【図８】  本発明の実施の形態における第七の例である電気シェーバ本体及び電気シェーバ保持体の保持状態を示す概略説明図であり、（ａ）は充電を行なう場合、（ｂ）は付加機能への給電を行なう場合である。
【図９】  本発明の実施の形態における第八の例である電気シェーバ本体及び電気シェーバ保持体の保持状態を示す概略説明図である。
【図１０】  本発明の実施の形態における第九の例である電気シェーバ本体及び電気シェーバ保持体の保持状態を示しており、（ａ）は概略説明図、（ｂ）は磁気結合部分の斜視図である。
【図１１】  本発明の実施の形態における第十の例である電気シェーバ本体及び電気シェーバ保持体の保持状態を示す概略説明図である。
【図１２】  本発明の実施の形態における第十一の例である電気シェーバ本体及び電気シェーバ保持体の保持状態を示しており、（ａ）は概略説明図、（ｂ）は磁気結合部分の斜視図である。
【図１３】  本発明の実施の形態における第十二の例である電気シェーバ本体及び電気シェーバ保持体の保持状態を示す概略説明図である。
【図１４】  本発明の実施の形態における第十三の例である電動歯ブラシ本体及び電動歯ブラシ保持体の保持状態を示す概略説明図である。
【図１５】  従来例の非接触給電機器の保持状態を示す概略説明図である。
【符号の説明】
１  非接触給電装置
２  非接触受電装置
３  一次コイル
４  二次コイル
８  高周波インバータ回路
１１  二次電池
１２  電気シェーバ本体
１３  シェーバ刃部
１６  第二の非接触受電装置
１７  電気シェーバ保持体
１８  第二の一次コイル
１９  第二の非接触給電装置
２０  第二の二次コイル
２１  電極
２２  高電圧発生回路
２５  放電用電極
２６  紫外線発生ランプ
２７  触媒
２９  超音波振動子ブロック
３０  第二の高周波インバータ回路
３１  保持体側磁性体
３２  本体側磁性体
３３  第一の磁路
３４  第二の磁路
３６  電動歯ブラシ本体
３９  電動歯ブラシ保持体
４２  ランプ部
４３  ＬＥＤ
４４  保護カバー
【図１】
0004092895.tif 000002
【図２】
0004092895.tif 000003
【図３】
0004092895.tif 000004
【図４】
0004092895.tif 000005
【図５】
0004092895.tif 000006
【図６】
0004092895.tif 000007
【図７】
0004092895.tif 000008
【図８】
0004092895.tif 000009
【図９】
0004092895.tif 000010
【図１０】
0004092895.tif 000011
【図１１】
0004092895.tif 000012
【図１２】
0004092895.tif 000013
【図１３】
0004092895.tif 000014
【図１４】
0004092895.tif 000015
【図１５】
0004092895.tif 000016